(57)【要約】【課題】  ハンガーを吊支する物干竿等の棒状物の配設位置の高低に対応してフックの掴持部分を変更可能とし、円滑に吊支作業を行えるようにする。【解決手段】  ハンガー10の上端中央部に取り付けているフックにおいて、上部一側に棒状物に係止させる開口部３を設けているフック本体１の下部を第１グリップ部２に形成すると共にフック本体１の上端から他側方に向かって第２グリップ部４を突設し、さらに、フック本体１の中央部に一側方に向かって斜め下方に突出した第１レバー５と他側方に向かって突出した第２レバー６と上記開口部３の開閉用杆部７とを一体的に回動自在に枢着して、棒状物が高所にある場合には第１グリップ部２を掴持して第１レバー５を操作し、低所にある場合には第２グリップ部４を掴持して第２レバー６を操作することにより、スプリング力に抗して開口部３を解放させるように構成している。【選択図】    図１
2006239020.tif 000002
【特許請求の範囲】
【請求項１】
ハンガーの上端中央部に取り付けた吊り下げ用フックであって、フック本体の上部一側に一側方に向かって開口した開口部を設けていると共に上端に他側方に向かってグリップ部を一体に突設してあり、さらに、フック本体の上下長さ方向の中央部に一側方に向かって斜め下方に傾斜した第１レバーの基端部を回動自在に枢着すると共にこの第１レバーの基端部にフック本体から他側方に向かって突出した第２レバーの基端部を一体に連設し、この連設部に上方に向かって上記開口部の開口端に対向する開閉用杆部を一体に設け、該開閉用杆部をスプリング力によりフック本体の開口部を閉止する方向に付勢していることを特徴とするハンガーの吊り下げ用フック。
【請求項２】
開口部は上周部が開口端に向かって下方に湾曲した係止面に形成している半円形状の凹部からなることを特徴とする請求項１に記載のハンガーの吊り下げ用フック。
【請求項３】
フック本体の下半部は第１レバーに対応した第１グリップ部であり、フック本体の上端から他側方に向かって突設したグリップ部は第２レバーに対応した第２グリップ部であることを特徴とする請求項１に記載のハンガーの吊り下げ用フック。
【発明の詳細な説明】
【技術分野】
【０００１】
本発明は各種物品を吊支するハンガーの上端部に取り付けた吊り下げフックの改良に関する。
【背景技術】
【０００２】
吊り下げ用フックとしては、従来から種々の形状、構造のものが知られており、最も簡単なフックとしては上端部を円弧状に屈曲させて棒状物等に係止させる開口部に形成してなるものが広く使用されているが、このようなフックを、例えば、洗濯物を干すハンガーに採用した場合、風圧等によって物干竿から不測に離脱して洗濯物が汚損するといった事態が発生する。このため、特許文献１に記載されているように、多数の洗濯物挟着用ピンチを装着している平面矩形状のフレームに索条物等を介してフックを取り付けてなるハンガーにおいて、上記フックの構造として、上端一側部に一側方に向かって開口した係止用開口部を設けてなるフック本体の上下長さ方向の中央部に一側方に向かって斜め下方に傾斜したレバーの基端部を回動自在に枢着すると共に、このレバーの基端部に上方に向かって上記開口部の開口端に対向した開閉用杆部を一体に設け、この開閉用杆部をスプリング力によりフック本体の開口部を閉止する方向に付勢してなるフックが使用されている。
【０００３】
そして使用時には、フック本体の下半部をグリップ部としてこのグリップ部を掴持しながら上記レバーを引き寄せることにより、該レバーに一体に設けている開閉用杆部をスプリング力に抗してフック本体の開口部を解放する方向に移動させ、この状態で開口部と杆部との間に物干竿等の棒状物を挿入するように介在させたのち、レバーに対する引き寄せ力を解くことによって開口部を物干竿に係止させると共にこの開口部と杆部とで棒状物をスプリング力により挟着させている。
【特許文献１】特許第３１３８７０４号公報
【発明の開示】
【発明が解決しようとする課題】
【０００４】
上記ハンガーの吊り下げ用フックによれば、フック本体の下半部をレバー操作用のグリップ部としているので、このグリップ部を掴持した状態においては、掴持部からフック本体の上半部が自然と上方に突出した状態となるから、胸元よりも上方に吊支すべき物干竿等の棒状物が存在する場合には、そのまま、フック本体を上方に持ち上げてその開口部及び該開口部に対向した杆部を棒状物の下周部に対向させ、レバーを操作して開口部を解放させながら開口部内に棒状物を介在させた後、杆部を閉止させることによって棒状物に係止させる操作が容易に行えるが、棒状物が胸元よりも下方に存在する場合には、フック本体を下方に傾けてその開口部及び該開口部に対向した杆部を棒状物の上周部側に向けた状態とし、この状態を保持しながらレバーを操作して棒状物に対するフックの係止作業を行わなければならない。
【０００５】
このような事態は、近年、マンション等のベランダに洗濯物を干す場合、美観等の観点から外部から見えにくくなるようにベランダの手すりよりも低い位置に干そうとする傾向がみられるために頻繁に行われるようになり、そのため、上述したように、フック本体を下方に傾けてその上端開口部側を棒状物の上周部側に向けた状態にすると、手首に無理な姿勢を強いる上に、力も入りにくく、その上、洗濯物をぶら下げた重い状態では棒状物に対する係止作業が思うように行えなくなる。特に、フックをハンガの上端中央部に直接、取り付けている場合には、ハンガーがフックと一体的に傾斜してその時のハンガーの荷重がフックの基端部を下方に向かって屈折させようとする力として作用し、フックが折損する虞れがあるばかりでなく、フックを傾けた際のハンガーの傾動方向は、胸元側に向かう方向であるため身体と接触することになり、これを逃げるために腕を伸ばしてフックを把持した手を棒状物に接近させなければならず、棒状物に対するフックの係止操作が困難となるといった問題点がある。
【０００６】
本発明はこのような問題点に鑑みてなされたもので、その目的とするところは、ハンガーを吊支する物干竿等の棒状物の配設高さが低くてもハンガを水平状に安定した自然な状態を維持させながら物干竿等の棒状物に円滑且つ確実に吊支させることができるハンガーの吊り下げ用フックを提供するにある。
【課題を解決するための手段】
【０００７】
上記目的を達成するために本発明のハンガーの吊り下げ用フックは、請求項１に記載したように、フック本体の上部一側に一側方に向かって開口した開口部を設けていると共にこの上端に他側方に向かってグリップ部を一体に突設してあり、さらに、フック本体の上下長さ方向の中央部に一側方に向かって斜め下方に傾斜した第１レバーの基端部を回動自在に枢着すると共にこの第１レバーの基端部にフック本体から他側方に向かって突出した第２レバーの基端部を一体に連設し、この連設部に上方に向かって上記開口部の開口端に対向する開閉用杆部を一体に設け、該開閉用杆部をスプリング力によりフック本体の開口部を閉止する方向に付勢してなる構造としている。
【０００８】
このように構成したハンガーの吊り下げ用フックにおいて、請求項２に係る発明は、フック本体の上端部に一側方に向かって開口させている開口部を、上周部が開口端に向かって下方に湾曲した係止面に形成している半円形状の凹部に形成していることを特徴とし、また、請求項３に係る発明は、フック本体の下半部を上記第１レバーに対応した第１グリップ部としている一方、フック本体の上端から他側方に向かって突設した上記グリップ部を第２レバーに対応した第２グリップ部としていることを特徴とする。
【発明の効果】
【０００９】
請求項１に係る発明によれば、ハンガーの上端中央部に取り付けた吊り下げ用フックにおいて、フック本体の上部一側に一側方に向かって開口した開口部を設けていると共にこのフック本体の上下長さ方向の中央部に一側方に向かって斜め下方に傾斜した第１レバーの基端部を回動自在に枢着し、この第１レバーの基端部に上方に向かって上記開口部の開口端に対向する開閉用杆部を一体に設けると共に該開閉用杆部をスプリング力によりフック本体の開口部を閉止する方向に付勢しているので、高所に配設している物干竿等の棒状物にこのフックを係止させる場合には、通常のフックと同様に、フック本体の下端部をグリップ部としてこのグリップ部を掴持することにより、ハンガー全体を水平状の安定した形態に維持させながら上方に持ち上げて第１レバーの操作により開閉用杆部を開口部から離間させ、開口部を解放させることによって上記棒状物に対するフックの係止操作が円滑に行うことができる。
【００１０】
その上、本発明においては、ハンガー本体の上端に他側方に向かってグリップ部を一体に突設していると共に上記第１レバーの基端部にフック本体から他側方に向かって第２レバーを一体に突設しているので、物干竿等の棒状物が低い位置に配設している場合においては、上記グリップ部を掴持すると、フック本体がこのグリップの一側端から下方に向かって垂下した状態となるので、手首に無理な姿勢を強いることなく且つフック本体に曲げ方向の荷重が作用することなく、ハンガー全体を水平状の安定した形態に維持しながら容易に降下させてハンガー本体の上端一側部に一側方に向かって開口した開口部を上記棒状物の側方に対向させることができ、この状態にして上記第２レバーを回動操作することにより、この第２レバーと共に上記開閉用杆部が上記開口部を解放させる方向に回動して棒状物に対するフックの係止操作が円滑且つ確実に行うことができるものである。
【００１１】
このように、ハンガーを吊支する物干竿等の棒状物の配設位置が高所にある場合には、ハンガーの下半部を第１グリップ部としてこのグリップ部を掴持しながら第１レバーを回動操作することにより、この第１レバーと一体の開閉用杆部を解放させてフック本体の上端開口部を棒状物に係止させることができ、ハンガーを吊支する物干竿等の棒状物の配設位置が低所にある場合には、ハンガーの上端から他側方に向かって水平状に突設している部分を第２グリップ部としてこのグリップを掴持しながら第２レバーを回動操作することにより、上記第１レバーと共に開閉用杆部を回動させて棒状物に対するフック本体の上端開口部の係止作業を行うことができ、従って、極めて使い勝手のよいハンガーの吊り下げ用フックとして便益に使用することができる。
【００１２】
また、請求項２に係る発明によれば、フック本体の上部一側に一側方に向かって開口させている開口部を、その上周部が開口端に向かって下方に湾曲した係止面に形成している半円形状の凹部としているので、この開口部内に物干竿等の棒状物を挿入させることによってその円弧状の上周面に上記係止面を確実に係止させることができ、その上、開閉用杆部がスプリング力によって上記開口部を閉止する方向に付勢されているので、この杆部と開口部とによって棒状体を強固に挟着することができ、従って、風圧その他の外圧によってハンガー全体が棒状物を中心として揺動してもフックが棒状物から外れるのを確実に防止し、棒状物にハンガーを吊支した状態を維持することができる。
【発明を実施するための最良の形態】
【００１３】
次に、本発明の具体的な実施の形態を図面について説明する。図１は洗濯物を干すためのハンガー10の吊り下げ用としてこのハンガー10の上端中央部に取り付けたフックを示すもので、フック本体１は図２に示すように、上部を幅広く、下部を人手によって掴持し得る程度の狭い幅を有する太さの第１グリップ部２に形成してなり、このフック本体１の上部一側に、一側方に向かった開口した開口部３を設けていると共に上端から他側方に向かって一定長さの第２グリップ部４を水平状に突設している。上記開口部３はフック本体１の上部を一側端から他側部に向かって半円形状に切欠いてフック本体１の前後面間に貫通した凹部形状に形成されていると共に、この半円形状の上周部の下面をフック本体１の幅方向の中央部から開口端に向かって下方に湾曲した係止面3aに形成している。
【００１４】
さらに、上記フック本体１の長さ方向における一側中央部に、上記第１グリップ部２と対向するように一側方に向かって斜め下方に傾斜した第１レバー５の基端部（上端部）を軸９により回動自在に枢着していると共に、この第１レバー５の基端部には、上記第２グリップ部４の下方に並行に対向するように上記軸９による枢着部からフック本体１の他側方に向かって水平状に突出した第２レバー６の基端部を一体に連設してあり、さらに、この連接部から上方に向かって上記開口部３の開口端に対向して該開口端を開閉する方向に回動する杆部７を一体に突設している。即ち、これらの第１、第２レバー５、６の基端部と杆部７の下端部とは軸９による枢着部で一体に連設していて、この枢着部からフック本体１に対して両側方及び上方の３方に向かってそれぞれ放射状に突出した形状を有し、軸９を中心としてこれらの第１、第２レバー５、６と杆部７とは一体に回動するように構成されている。なお、第２レバー６の先端部は下方に向かって屈曲させて指が引っ掛かり易いように形成されている。
【００１５】
また、上記フック本体１は内部を中空構造に形成してあり、その長さ方向の中央一側部内で上記軸９により第１、第２レバー５、６及び杆部７の連設部分が回動自在に枢着されていて第２レバー６を中空内部を貫通してフック本体１の他側端から他側方に突出している。さらに、上記軸９にはスプリング８が巻回されていてその一端部を第１レバー５の内側面に受止させ、他端部をフック本体１の下部によって形成された上記第１グリップ部２内に受止させてあり、この第１グリップ部２内での受止部を支点としてこのスプリング８の弾発力を上記杆部７がフック本体１の開口部３を閉止する方向に付勢させている。
【００１６】
フック本体１内の長さ方向の中央部には第２レバー６の基部下端面を受止する支持座部1aが設けられていて、上記スプリング８の弾発力にもかかわらず第２レバー６がそれ以上下方に回動しないように構成しているが、スプリング８の弾発力によって上記杆部７を開口部３の開口端面に当接、受止させる場合には、この支持座部1aは必ずしも設けておく必要はない。さらに、フック本体１の下端部にはハンガー10に対する取付用軸片部1bが下方に向かって突設してあり、この軸片部1bをハンガー10の上端中央部に設けている取付孔15に回動自在に装着している。
【００１７】
このフックを装着したハンガーの種類や形状、構造については特に限定されないが、図１においては、物干し用ハンガー10に装着している。この物干し用ハンガー10は平面Ｕ字状又はコ字状の２つの内枠11、11と外枠12、12とをそれぞれ水平支軸13の両側に外枠12で内側11を囲んだ状態となるように配設してこれらの両側内外枠11、12の両端を水平支軸13の両端に上下方向に回動自在に連結していると共に、上方に向かって折り畳み自在に且つその折り畳み状態から下方に向かって水平状に或いは所定の傾斜角度となるまで展開自在に取り付け、さらに、両側の内外枠11、12に小間隔毎に複数個のピンチ14を吊り下げてなり、図２に示すように上記水平支軸13の長さ方向の中央上周部に上下方向に貫通し且つ径方向に拡縮自在な筒状の上記取付孔15を設け、この取付孔15にフック本体１の上記下端軸片部1bを回動自在に挿入してその下端大径部1b1 を取付孔15の下端面に係止させてなるものである。
【００１８】
なお、この物干し用ハンガー10においては図１に示すように、両側の外枠12、12は折り畳み状態から水平状に展開してそれ以上下方に回動しないようにその両端部を水平支軸13に係止させるようにしてあり、両側の内枠11、11は折り畳み状態から斜め上方に傾斜した展開角度となるまで展開してそれ以上下方に回動しないようにその両端部を水平支軸13に係止させるように構成している。また、これらの内外枠11、12内は、補強用桟部材を設けることなく上下方向に全面的に解放させている。
【００１９】
このように構成した物干し用ハンガー10を使用して洗濯物を干す場合において、物干竿等のハンガー吊支用棒状物20が図４に示すように、胸元よりも高い位置に設けられている場合には、フック本体１の下端部によって形成している第１グリップ部２を掴持して第１レバー５を操作することにより、棒状物20に対するハンガー10の吊り下げを行う。この際、フック本体１はハンガー10の水平支軸13の中央部に直接、立設状態に取り付けられているので、ハンガー10の外側から第１グリップ部２を掴持すると、その状態でハンガー10を上方に持ち上げれば、ハンガー10が腕に当接して作業が困難となる。
【００２０】
従って、この場合にはフック本体１を回動させてその第１レバー５が他側方の内外枠側に向けた状態にし、この状態で水平状に展開した一側外枠12内の空間部から斜め上方の傾斜角度で展開している一側内枠11内の空間部を通じて腕を挿し込んで、フック本体１の下端部の第１グリップ部２を掴持する。そうすると、手首を無理に捩ることなく、さらにはハンガー10が腕に当接することなく、安定した状態で上方に持ち上げることができる。そして、フック本体１の開口部３を棒状体20の側方に対向させた状態にして指先で第１レバー５をスプリング８の力に抗して第１グリップ部２側に引き寄せると、その操作と連動してこの第１レバー５に一体に設けている杆部７が開口部３から一側方に向かって離間し、開口部３を解放させる。
【００２１】
この状態にして解放部を通じて棒状物３が半円形状の凹部からなる開口部３内に挿入するようにフック本体１を棒状物20側に押し進め、開口部３内に棒状物20がその上周部を開口部３の上周部係止面3aに係止した状態となるように開口部３に貫通状態に挿入させたのち、第１レバー５に対する握力を解除して杆部７を開口部３から突出している棒状物20の側面にスプリング８力によって圧着させ、開口部３とこの杆部７とで棒状物20を挟着した状態にしてフック本体１を棒状物20に吊支させる。
【００２２】
こうして、ハンガー10の内外枠11、12に装着している多数のピンチ14により支持された洗濯物（図示せず）を干すものであるが、内枠11の装着しているピンチ14に下着類等のように人目にできるだけ晒したくない洗濯物を支持させる一方、外枠12に装着しているピンチ14にタオル等の洗濯物を支持させておくことによって、この外枠12から吊り下げている洗濯物で内枠11側の洗濯物を隠蔽することができ、従って、洗濯物を体裁よく干しておくことができる。また、フック本体１の下端軸片部1bをハンガー10の水平支軸13の中央部の取付孔15に回動自在に挿入、係止させているので、ハンガー10がフック本体１の下端軸片部1b回りに自由に回動することができ、フック本体１に捩れ方向の無理な力が作用する虞れはない。
【００２３】
次に、物干竿等のハンガー吊支用棒状物20が胸元よりも低い位置に設けられている場合には、図５に示すように、ハンガー10の上方側からフック本体１の上端に他側方に向かって水平状に突設している第２グリップ部４を掴持する。そうすると、フック本体１が水平方向に突設している第２グリップ部４の一側端から下方に向かって垂下した状態となるので、手首に無理な姿勢を強いることなく且つハンガー全体を水平状の安定した状態で棒状物20の下方にまで下ろしていくことができる。
【００２４】
そして、フック本体１の開口部３を棒状体20の側方に対向させた状態にして指先で第２レバー６をスプリング８の力に抗して第２グリップ部４側に向かって上方に引き寄せると、その操作と連動してこの第２レバー６に一体に設けている杆部７が開口部３から一側方に向かって離間し、開口部３を解放させるので、上記同様にしてこの解放部を通じて棒状物20を開口部３内に挿入してその上周部を開口部３の上周部係止面3aに係止させた状態とし、しかるのち、第２レバー６に対する握力を解除して杆部７を開口部３から突出している棒状物20の側面にスプリング８力によって圧着させ、開口部３とこの杆部７とで棒状物20を挟着した状態にしてフック本体１を棒状物20に吊支させる。
【００２５】
なお、以上の実施の形態においては、フック本体１を物干し用のハンガー10に取り付けけた場合について説明したが、陳列用ハンガーや洋服掛けハンガー等のハンガーのフックとして採用してもよい。
【図面の簡単な説明】
【００２６】
【図１】物干し用ハンガーのフックとして使用した状態の斜視図。
【図２】ハンガーに装着しているフックの縦断正面図。
【図３】開口部を解放させた状態の縦断正面図。
【図４】高所に配設している棒状物に吊り下げる状態を示す斜視図。
【図５】低所の配設している棒状物に吊り下げる状態を示す斜視図。
【符号の説明】
【００２７】
１  フック本体
２  第１グリップ部
３  開口部
４  第２グリップ部
５  第１レバー
６  第２レバー
７  開閉用杆部
８  スプリング
９  軸
10  ハンガー
【図１】
2006239020.tif 000003
【図２】
2006239020.tif 000004
【図３】
2006239020.tif 000005
【図４】
2006239020.tif 000006
【図５】
2006239020.tif 000007